(57)【要約】【課題】シェル（２）の内部に調節可能な保持システムを備えたヘルメットを提供する。【解決手段】前記保持システムが、シェル（２）内に強固に固定された巻き取り手段（３）と、巻き取り手段（３）によって、巻き取り／引き出されるテープ（４）であって、前記巻き取り手段（３）が固定された位置の反対側のシェルの端に固定されたテープ（４）と、を備えることを特徴とする。【選択図】図１
2004115963.tif 000002
【特許請求の範囲】
【請求項１】
シェル（２）の内部に調節可能な保持システムを備えたヘルメットであって、前記保持システムが、
シェル（２）内に強固に固定された巻取り手段（３）と、
前記巻取り手段（３）によって、巻き取り／引き出されるテープ（４）であって、前記巻取り手段（３）が固定された位置の反対側のシェルの端に固定されたテープ（４）と、
を備えることを特徴とするヘルメット。
【請求項２】
前記巻取り手段（３）を、その軸が前記シェル（２）の表面と垂直となるように固定することを特徴とする請求項１に記載のヘルメット。
【請求項３】
前記巻取り手段（３）を、その軸が前記シェル（２）の外部表面の接面と平行となるように固定することを特徴とする請求項１に記載のヘルメット。
【請求項４】
前記テープ（４）が、前記巻取り手段（３）を固定している位置の逆側の前記シェル（２）の端に固定されたクイック解除手段（５）内で係合するのに適当な係合手段を端部に備えることを特徴とする請求項１から３のいずれかの請求項に記載のヘルメット。
【請求項５】
前記テープ（４）が、前記巻き取り手段（３）が固定されている位置の逆の位置において、前記シェル（２）の内部表面に強固に固定されていることを特徴とする請求項１から４のいずれかの請求項に記載のヘルメット。
【請求項６】
前記巻取り手段（３）を固定／解除するための手段（８、１０，１１，１２，１３）を備えることを特徴とする請求項１から５のいずれかの請求項に記載のヘルメット。
【請求項７】
前記巻き取り手段（３）を固定／解除するための前記手段が、前記シェル（２）の外部表面の外側にある取っ手（９）によって調節されるカムホイール（８）を備えることを特徴とする請求項６に記載のヘルメット。
【請求項８】
前記固定／解除手段が、前記テープ（４）を固定するためのスクリュー（１０）を含むことを特徴とする請求項６に記載のヘルメット。
【請求項９】
前記固定／解除手段が、前記テープ（４）を固定／解除するためのボタン（１１）を備えることを特徴とする請求項６に記載のヘルメット。
【請求項１０】
前記巻き取り手段（３）によって巻き取られた前記テープ（４）を固定するのに適した摩擦手段（１４、１３）を備えることを特徴とする請求項１から９のいずれかの請求項に記載のヘルメット。
【請求項１１】
前記テープ（４）の幅が均一であることを特徴とする請求項１から１０のいずれかの請求項に記載のヘルメット。
【請求項１２】
前記テープ（４）が、幅の異なる２つの部分から構成され、幅の狭い部分が前記巻取り手段（３）によって巻き取られるのに適していることを特徴とする請求項１から１１のいずれかの請求項に記載のヘルメット。
【発明の詳細な説明】
【０００１】
【発明の属する技術分野】
本発明は、調節可能な保持システムを備えるヘルメットに関する。詳細には、自動的に調節することができる保持システムを備えるヘルメットに関する。
【０００２】
【従来の技術】
車、自動二輪車、及びそれらに類似の物に主に使用されている現在市販され入手可能なヘルメットは、チンストラップ（顎ひも）として知られている締付け具と張力調節システムとを備える。
【０００３】
現在使用されている顎ひもは、所定の幅の２つの織物テープによって構成される。顎ひもには、２つの構成部品が固定されている。２つの構成部品とは、即ち、クイックタイプ、もしくはダブルＤタイプである解除装置と、現在手動で行っている伸張／調節システムである。全体の組立品は、ヘルメットシェルに様々な方法で固定されている。ユーザーが顎ひもを調節しようとする場合、手動操作を行って意図した長さになるようにテープをスライドさせる必要がある。ユーザーの頭を効果的に保護するためには、ヘルメットを完全に頭に固定しなければならないので、意図した長さになるようにテープをスライドさせることは特に重要である。顎ひもを操作することにより、ヘルメットを完全に頭に固定することができる。
【０００４】
異なる人の間でヘルメットを交換する時は、ほとんどいつでも顎ひもを調節しなければならない。顎ひもを予め調節しておいても、新しいユザーには適していないかもしれない。
【０００５】
手動で顎ひもを調節する操作は難しい。何故なら、ヘルメットを装着している時は、顎ひもを構成するひもパーツを直接見ることができない一方、ヘルメットを装着していないと顎ひもをうまく調節することができないからである。
【０００６】
【発明が解決しようとする課題】
本発明の主たる目的は、テープの長さを手動で直接変える代わりに、自動的に顎ひもの長さをユーザーが調節することができる調節可能な保持システムを備えるヘルメットを提供することである。
【０００７】
この主目的の範囲における本発明の目的は、ヘルメットを装着しようとしている時に、迅速に調節することができる自動調節可能な保持システムを備えるヘルメットを提供することである。
【０００８】
本発明の別の目的は、従来のヘルメットのシェル内にも収納可能な調節可能保持システムを備えるヘルメットを提供することである。
【０００９】
また、本発明のさらに別の目的は、保持の安全性を高めた自動保持システムを備えるヘルメットを提供することである。
【００１０】
本発明のまた別の目的は、ヘルメットを取り外したい場合に、従来の手動保持システムとは異なり、迅速にヘルメットを取り外すことができる自動保持システムを備えるヘルメットを提供することである。
【００１１】
本発明のさらにまた別の目的は、保持システムを固定／解除するための装置を有する自動調節保持システムを備えるヘルメットを提供することである。
【００１２】
本発明のまた別の目的は、高い信頼性を有し、比較的簡単に製造でき低コストの自動調節保持システムを備えるヘルメットを提供することである。
【００１３】
【課題を解決するための手段】
この主目的、及び、これらと他の目的は、調節可能な保持システムと、前記保持システムが内部に固定されたシェルを備えたヘルメットであって、前記保持システムが、シェルの内部に強固に固定されるように構成された巻取り手段と、前記巻き取り手段によって巻取り／引き出されるように構成され、前記巻き取り手段が固定された位置の反対側の前記シェル端部に固定されたテープを備えることを特徴とする。尚、この主目的、及び、これらと他の目的は下記の説明から明らかになる。
【００１４】
【発明の実施の形態】
さらに本発明の特性および有利な効果が、本発明のヘルメットの好ましい実施の形態（しかし、それらの実施の形態は限定するものではない。）の記載から非常に明らかになる。本発明のヘルメットは、付随の図において、非限定的な具体例を用いて説明されている。
【００１５】
図１は、本発明の第一の実施の形態を示しており、参照番号１によって本発明のヘルメットが示されている。このヘルメットは、ヘルメットの外皮を構成するシェル２を備え、シェル２の内側にヘルメット保持システムが接続されている。前記保持システムの特徴は、ヘルメットシェル２内に固定して、ヘルメットの顎ひもを構成するテープ４を巻き取るのに適した巻き取り手段３を含むことである。第一の実施の形態では、一方の端が巻き取り手段３によって巻き取られるテープ４は、もう一方の端に、係合装置５内に係合するのに適した係合手段を備える。係合装置５は、ヘルメット２のシェル内の、巻取り手段３を固定した位置の反対側に固定してある。
【００１６】
実質的に、巻き取り手段、もしくは、ロールアップ手段は、図１に示したようにヘルメット２のシェル内に固定してもよい。この場合、内部空間の占有率は、テープの巻数によって決定される。または、図２に示すように、巻き取り手段３を、軸とヘルメットシェル２の外部表面とが垂直になるように設置しても良い。
【００１７】
第二の実施の形態、即ち図２において、巻き取り手段の空間占有率は、顎ひもとして使われるテープ４の幅によってのみ決定される。もし、適用される法律上のルールにしたがってテープをより狭くできれば、巻き取り手段の空間占有率は減少する。
【００１８】
基本的に、テープ４は、幅の狭い単一のテープで構成しても良いし、もしくは、２つのパーツによって構成しても良い。２つのパーツのうち１つは、より狭いテープ（例えば、コード、もしくは類似の物）で形成され、もう一方は従来の幅のテープによって形成される。この方式では、コードで構成される部分を、巻き取り手段で巻き取られた状態にしておくことにより、前記巻き取り手段の空間占有率を減少させることができる。
【００１９】
これら二つの実施の形態において、巻き取り手段３は、いずれの場合でもヘルメット１のシェル２の内部表面に固定されている。
【００２０】
上記のように、第一の実施の形態において、テープ４はクイック解除装置５に固定されている。クイック解除装置５は、適当な固定装置によってシェルに強固に取り付けられる。この場合、ヘルメット１を取り外す時に、クイック解除装置５を操作して、テープ４を自動的に巻き取り手段３によって巻き戻さなければならない。
【００２１】
この方法では、クイック解除装置５を手動で操作して、テープ４を解除する必要がある。但し、テープ４は、自動的に巻き取り手段３によって巻き取られる。このようにして、ユーザーがヘルメット１を装着する動作と、ヘルメットを脱ぐ動作の両方において、巻き取り手段３の働きにより、テープ４の長さを自動的に調節しながら動作を行うことができる。
【００２２】
第二の実施形態において、テープ４は、やはり一方の端が巻き取り手段３によって巻き取られる。一方、逆側の端は、固定システムによってヘルメットのシェル２に強固に固定される。このようにして、テープ４は、一方の端が強固に固定され、巻き取り手段が取りつけられているもう一方の端が、可動状態で固定される。「可動状態で取りつける」という表現は、テープ４を、その逆の端はシェル２の内側に固定しながら巻き取り手段３から引き出すことができるということを意味する。
【００２３】
この場合、ヘルメットを装着したり取り外したりするには、ユーザーは単にテープ４を操作してテープを引っ張って巻き取り手段３から引き出すようにすれば良い。
【００２４】
一旦テープ４を逆側の端に係合した後に、もしくは、もしテープ４が逆側の端に安定に係合しているとき、巻き取り手段３からテープ４が過剰に引き出されることを防止するため、ヘルメットシェル２内に保持システムを固定／解除する手段を備える。保持システムを固定／解除する手段とは、詳細には、例えばシェル２の外側にある取っ手９によって調節されるカムホイール８によって構成されたテープ４を固定する手段、スクリュー１０を用いてテープ４を固定する手段、ＯＮ／ＯＦＦボタン１１によって固定する手段、又は、巻取り手段３内に設置された摩擦システムによってテープを自動的に固定する手段等である。摩擦システムによって固定する手法の場合、摩擦システムはスプロケット１２を備えており、スプリング１４によって弾力的に押される接合部材１３がスプロケット１２に作用している。
【００２５】
【発明の効果】
実際に、本発明のヘルメットにより、手動でテープを操作して長さを調節することなく、ヘルメットの顎ひもを自動調節し、ヘルメットをユーザーの頭に完全にフィットさせることができるので、意図した目的や課題を完全に達成できることがわかった。
【００２６】
さらに、巻き取り手段３によって、規定される張力で自動的にテープを巻き取ることによって、顎ひもの保持の安全性が向上する。本発明の保持システムによれば、巻き取り手段で巻き取られたのと逆側の端を外すことなく、単に保持システムのテープを伸ばすことによって、ヘルメットを脱ぐことができる。
【００２７】
このように考えられたヘルメットは、複数の改良品や変形品が可能である。それらのすべては、本発明の思想の範囲内にある。即ち、すべての特定の部分を技術的に均等な他の装置にさらに置き換えてもよい。
【００２８】
条件によって変わる形や大きさと同様、使われる材料は、必要条件を満たすものであれば、その時の技術状態に基づくいかなる物であってもよい。
【図面の簡単な説明】
【図１】図１は、本発明の保持システムを備えたヘルメットの第一の実施の形態の断面図を示している。
【図２】図２は、本発明の保持システムを備えたヘルメットの第二の実施の形態の断面図である。
【図３】図３は、本発明のヘルメットの部分図であり、第一の実施の形態のテープ保持システムの固定／解除手段を示している。
【図４】図４は、図３の固定／解除手段の平面図である。
【図５】図５は、本発明のヘルメットの部分図であり、第二の実施の形態のテープ保持システムの固定／解除手段を示している。
【図６】図６は、本発明のヘルメットにおけるテープ保持システムの固定／解除手段を示している。
【図７】図７は、本発明のヘルメットの部分図であり、第四の実施の形態のテープ保持システムの固定／解除手段を示している。
【図１】
2004115963.tif 000003
【図２】
2004115963.tif 000004
【図３】
2004115963.tif 000005
【図４】
2004115963.tif 000006
【図５】
2004115963.tif 000007
【図６】
2004115963.tif 000008
【図７】
2004115963.tif 000009